(57)【要約】      （修正有）【課題】微量放射性部材を本体における人肌との接触面に形成することで、身に付ける者の健康増進に役立つ可能性がある装身具を提供することを目的とする。【解決手段】装身具に、本体１１の人肌との接触面に凹部を形成し、該凹部にはトルマリン鉱石、南東石、宝名石を微粒状に粉砕し、強力接着剤を添加して塗布、硬化して形成される微量放射性部材１６を、接触面の全体のうち少なくとも５０％以上を占める領域かつ本体１１の深さのうち３０％以下の厚み寸法で形成する。【選択図】図１
0003119537.tif 000002
【実用新案登録請求の範囲】
【請求項１】
本体における人肌との接触面に凹部を形成し、該凹部にはトルマリン鉱石、南東石、宝名石を微粒状に粉砕し、強力接着剤を添加して塗布、硬化して形成される微量放射性部材を設けたことを特徴とする装身具。
【請求項２】
前記微量放射性部材は、本体の接触面全体のうち少なくとも５０％以上を占める領域に設けられていることを特徴とする請求項１に記載の装身具。
【請求項３】
前記微量放射性部材は、本体の深さのうち３０％以下の厚み寸法で形成されていることを特徴とする請求項１乃至２に記載の装身具。
【請求項４】
前記微量放射性部材が、リング裏面に形成されている装身具用リングであることを特徴とする請求項１乃至３に記載の装身具。
【請求項５】
前記微量放射性部材が、連結具裏面に形成されている装身具用ネックレスであることを特徴とする請求項１乃至３に記載の装身具。
【請求項６】
前記微量放射性部材が、保持具裏面に形成されていることを装身具用ピアスであることを特徴とする請求項１乃至３に記載の装身具用ブローチ。
【考案の詳細な説明】
【技術分野】
【０００１】
この考案は、人肌との接触面に粉末化されたトルマリン鉱石、南東石、宝名石から形成される微量放射性部材を設けた装身具に関する。
【背景技術】
【０００２】
従来から存在する装身具のうち宝飾リングは、例えば、光輝く宝石を前面に使用することで、その装飾的効果を最大に発揮し、身につける者を華やかに飾る目的によるものが殆どである。
【０００３】
しかし、装身具の歴史を振り返ってみると、肌身離さず身につけるという性質から、単に身飾品であるのみならず種々多様な性格を有している。それらは、例えば、中国におけるひすいに代表されるように言い伝えや宗教的な理由からお護りとして使用されるものや、磁気ネックレスのように健康促進の理由から身につけるものが存在する。
【０００４】
一方、ラジウムは、アルファ線、ベータ線、ガンマ線を半永久に放出する微量放射性物質であり、一般に法律で定める限度の放射能濃度７４ベクレル毎グラム以下であれば、人体へ悪影響を及ぼす事なく、かえって人体に有益な効果を及ぼすといわれているが、このラジウムの性質をそのような肌身離さず身につける装身具に利用すれば健康に役立つ可能性がある事が十分予測される。
【０００５】
ところで、このラジウムを含有する天然の物質である北投石は、我が国では秋田県の玉川温泉のみに存在するが、環境保護の観点から外部への持ち出しが禁止されていることより、トルマリン、南東石、宝名石からなる粉末を混合して類似の物理的性質をもつ人工鉱物を作り出す技術も知られている。
【考案の開示】
【考案が解決しようとする課題】
【０００６】
本考案は、北投石と類似の物理的性質を有する微量放射性部材を本体における人肌との接触面に形成し、常に身に付けることで、身に付ける者の健康増進に役立つ可能性がある装身具を提供することを目的とする。
【課題を解決するための手段】
【０００７】
上記課題を解決するために、請求項１に記載された考案は、本体における人肌との接触面に凹部を形成し、該凹部にはトルマリン鉱石、南東石、宝名石を微粒状に粉砕し、強力接着剤を添加して塗布、硬化して形成される微量放射性部材を設けた装身具であることを特徴とする。請求項２に記載された考案は、前記微量放射性部材は、本体の接触面全体のうち少なくとも５０％以上を占める領域に設けられている請求項１に記載の装身具であることを特徴とする。請求項３に記載の考案は、前記微量放射性部材は、本体の深さのうち３０％以下の厚み寸法で形成されている請求項１乃至２に記載の装身具であることを特徴とする。請求項４に記載された考案は、前記微量放射性部材が、リング裏面に形成されている装身具用リングからなる請求項１乃至３に記載の装身具であることを特徴とする。請求項５に記載の考案は、前記微量放射性部材が、連結具裏面に形成されている装身具用ネックレスからなる請求項１乃至３に記載の装身具であることを特徴とする。請求項６に記載の考案は、前記微量放射性部材が、保持具裏面に形成されていることを装身具用ピアスからなる請求項１乃至３に記載の装身具であることを特徴とする。
【考案の効果】
【０００８】
本考案に係る装身具によれば、例えば、装身具用リングの裏面等、すなわち装身具における人肌との接触面に設けられた微量放射性物質は、半永久的に微量な放射線を放出し、人肌を通じて内部に取り込まれ、人体に有益な効果を及ぼすことが十分に予測される。特に美しくデザインされた装身具は常に身につける性質を有するがあるから、健康増進に大きく役立つ可能性がある。
【考案を実施するための最良の形態】
【０００９】
以下、図面を参照しつつ、本考案の好ましい実施形態を説明する。図１は、本考案に係る装身具の一実施形態である装身具用リングの一例を示す斜視図、図２は、その微量放射性部材１６の取り付け工程を示す部分断面図、図３は、その使用状態を示す斜視図である。図１における装身具用リング１０は、人指２０につけることで、宝石１２を表面に固定した美しいデザインの装身具としても、微量放射性部材１６を裏面に形成した健康増進に役立つ可能性のある装身具としても使用できるものである。
【００１０】
装身具用リング１０の本体１１は、一般的な装身具に使用される金属、例えば、金、プラチナ、シルバー、真鍮、チタン等を主素材とし、一般的な装身具製造方法、例えば、ロストワックスキャスティング、プレス切断加工等で製造されるものである。
【００１１】
本体１１の表面には、例えば、ダイアモンド等の宝石１２が一般的な装身具に施される石留め技法によって固定されている。したがって、装身具用リング１０を指につけている状態は、その見栄えは通常の装身具と何ら変わるものではない。
【００１２】
一方、本体１１の裏面１３には、第一の製造段階において所定の幅をもって凹部１４が形成される。凹部１４の深度には、特に限定はないが、例えば、本体１１の厚みが３ｍｍである場合には１ｍｍ以下、すなわち３０％以下に形成すれば、後記する鉱石粉末の塗布作業が容易となり、また、微量放射性部材１６が設けられても宝石１２の輝きに悪影響を与えることはない。もちろん、装身具用リング１０から発せられる放射線量を増やしたい場合には、より深く形成しておくべきである。
【００１３】
また、凹部１４は、本体１１の裏面１３の総面積（ここではリング内径部全体の面積）のうち、少なくとも半分以上の大きさで形成されることが好ましい。その場合には、装身具用リング１０を指につけた場合に、凹部１４に形成される微量放射性部材１６と人肌とが確実に接触面を有するので、健康増進効果が期待できる。
【００１４】
ここで、微量放射性部材１６の製造は、トルマリン鉱石、南東石、宝名石を鉱石一般に使用される粉砕機により粉砕して微粒粉末とし、例えば、二液状のセメダイン（商標名）等からなる強力接着剤を添加して流動体とする。
【００１５】
次に、図２に示すように、手作業により凹部１４に塗布して自然硬化させる。さらに、図３に示すように、突出した部分１５を、一般に装身具の最終仕上げ使用されるバフ研磨機により平滑化して微量放射性部材１６を設ける。
【００１６】
前記したように、トルマリン鉱石、南東石、宝名石を粉末化して混合する場合には、ラジウム効果を発揮する天然の北投石と類似の物理的性質を有するといわれており、図３に示すように、装身具用リング１０を指につけると、指２０の人肌面を通じて発せられる微量の放射線が体内に取り込まれ、健康増進に役立つ可能性が大きく予測される。
【００１７】
ここで、図１においては、微量放射性部材１６は、装身具用リング１０の裏面において直列する一対のベルト状に形成されているが、その形状には特に制限がない。例えば、図４に示すような散点模様状の微量放射性部材１７や並列ベルト状の微量放射性部材１８を形成することであっても良い。
【００１８】
図５は、本考案に係る装身具の一実施形態である装身具用ネックレス３０の一例を示す斜視図、図６は、その連結具の裏面を示す平面図、図７は、その使用状態を示す斜視図である。
【００１９】
装身具用ネックレス３０の本体３１は、前記同様に、例えば、金、プラチナ、シルバー、真鍮、チタン等の貴金属を主素材とし、やはり前記同様に、例えば、ロストワックスキャスティング、プレス切断加工等の製造方法により製造される。
【００２０】
本体３１は、多数の部材が連結されてチェーンを形成し、その中央には、例えば、大粒ダイアモンドを取り付けたペンダントヘッド３４が吊下げられている。したがって、ネックレス３０を首につける状態では、その見栄えは通常の装身具と何ら変わるものではない。
【００２１】
一方、本体１１の連結具（クラスプ）の一方であるプレート３２の裏面には、前記同様の製造方法により、微量放射性部材３６が設けられる。
【００２２】
ネックレス３０を首にかける場合には、プレート３２と輪環３３により連結されてループ状となり、通常プレート３４は首４０の真裏に位置され、さらにペンダントヘッド３４の重量で首４０の人肌と密着するので、前記同様の健康増進効果を発揮することが大きく期待される。特に、首４０の裏側はいわゆる人体のつぼと呼ばれる部分が位置しているので、その健康増進効果に対する期待は大きい。
【００２３】
図８は、本考案に係る装身具の一実施形態である装身具用ピアス５０の一例を示す斜視図、図９は、その使用状態を示す斜視図である。
【００２４】
装身具用ピアス５０の本体５１は、前記同様の貴金属素材や、前記同様の製造方法により製造され、身につける状態での見栄えは通常の装身具用ピアスと何ら変わるものではない。
【００２５】
一方、ピアスの先端針部５１を耳たぶに固定するための保持具（キャッチ）５２の裏面には、前記同様の製造方法により、微量放射性部材５３が設けられる。
【００２６】
かかる装身具用ピアス５０を身につける場合には、保持具５２は耳たぶ５４に押し付けられて人肌と密着する。したがって、微量放射性部材５３から発生する放射線が人体に取り込まれる量も必然的に多くなる。かつ耳たぶ５４には前記同様に人体のつぼが位置しており、健康増進効果の大きな可能性を十分に予測できる。
【００２７】
本考案は上記実施の形態に限定されず、種々変更して実施することが可能である。例えば、上記実施の形態では、装身具としてリングやネックレスのみを示したが、ブレスレットやアンクレットを形成することができる点はもちろんである、
【００２８】
また、装身具用ネックレス３０は、連結具の裏面に微量放射性部材を形成しているが、チェーンを形成する各部材又はその中間部に位置するいくつかの部材をランダムに選択し、その裏面に微量放射性部材を形成しても良い。
【図面の簡単な説明】
【００２９】
【図１】本考案に係る装身具の一実施形態である装身具用リングの一例を示す斜視図である。
【図２】本考案に係る装身具の微量放射性部材の製造工程を示す部分断面図である。
【図３】本考案に係る装身具の使用状態を示す斜視図である。
【図４】他の微量放射性部材を示す図である。
【図５】本考案に係る装身具の一実施形態である装身具用ネックレスの一例を示す斜視図である。
【図６】本考案に係る装身具用ネックレス連結具の裏面を示す平面図である。
【図７】本考案に係る装身具用ネックレス連結具の使用状態を示す斜視図である。
【図８】本考案に係る装身具用ピアスを示す斜視図である。
【図９】本考案に係る装身具用ピアスの使用状態を示す斜視図である。
【符号の説明】
【００３０】
１０  装身具用リング
１１  本体
１２  宝石
１３  裏面
１４  凹部
１５  突出した部分
１６  微量放射性部材
１７  散点模様状の微量放射性部材
１８  並列状の微量放射性部材
２０  指  
３０  装身具用ネックレス
３１  本体
３２  プレート
３３  輪環
３４  ペンダントヘッド
４０  首
５０  装身具用ピアス
５１  針
５２  保持具
５３  微量放射性部材
５４  耳たぶ
【図１】
0003119537.tif 000003
【図２】
0003119537.tif 000004
【図３】
0003119537.tif 000005
【図４】
0003119537.tif 000006
【図５】
0003119537.tif 000007
【図６】
0003119537.tif 000008
【図７】
0003119537.tif 000009
【図８】
0003119537.tif 000010
【図９】
0003119537.tif 000011